【事件の表示】
　特願２０１７−５１８０８７「ユーザインタフェースのための対話方法」拒絶査定不服審判事件〔平成２８年　４月　７日国際公開、ＷＯ２０１６／０５００８６、平成２９年１１月２４日国内公表、特表２０１７−５３４９７５、請求項の数（１３）〕について、次のとおり審決する。
【結　論】
　原査定を取り消す。
　本願の発明は、特許すべきものとする。
【理　由】
第１　手続の経緯
　本願は、２０１５年（平成２７年）５月２６日（パリ条約による優先権主張外国庁受理２０１４年１０月２日、欧州特許庁）を国際出願日とする出願であって、その手続の経緯は以下のとおりである。
　平成３０年　５月　７日付け　　　　拒絶理由通知書
　平成３０年　８月１３日　　　　　　意見書、手続補正書の提出
　平成３０年１０月３１日付け　　　　拒絶査定
　平成３１年　３月　５日　　　　　　審判請求書の提出
　令和　２年　６月２５日付け　　　　拒絶理由通知書
　令和　２年　８月２６日　　　　　　意見書、手続補正書の提出
第２　原査定の概要
　原査定（平成３０年１０月３１日付け拒絶査定）の概要は次のとおりである。
　本願の請求項１ないし７及び１０ないし１４に係る発明は、以下の引用文献１に基づいて、又、本願の請求項１ないし１４に係る発明は、以下の引用文献２に基づいて、その発明の属する技術の分野における通常の知識を有する者（以下、「当業者」という。）が容易に発明をすることができたものであるから、特許法第２９条第２項の規定により特許を受けることができない。
　　　　　　　　　　　　　　＜引用文献等一覧＞
１.米国特許出願公開第２００６／０２８４８５２号明細書
２.特開２０１３−１０１４６５号公報
第３　当審拒絶理由の概要
　当審拒絶理由（令和２年６月２５日付け拒絶理由）の概要は次のとおりである。
　本願は、特許請求の範囲の請求項２ないし１４の記載は、特許法第３６条第６項第２号に規定する要件を満たしていない。
第４　本願発明
　本願請求項１ないし１３に係る発明（以下、それぞれ「本願発明１」ないし「本願発明１３」という。）は、令和２年８月２６日付けの手続補正で補正された特許請求の範囲の請求項１ないし１３に記載された事項により特定される発明であり、本願発明１ないし１３は以下のとおりである。
「【請求項１】
　ユーザインタフェース（500）を提供するよう構成されるディスプレイと、
　少なくとも第1の対話型要素（502）を前記ユーザインタフェース（500）のフォアグラウンドに提供し、前記ユーザインタフェース（500）のバックグラウンドに配置される少なくとも第2の対話型要素（504）を提供し、前記バックグラウンドにおいて前記第2の対話型要素（504）とユーザとの対話の指示を受信し、前記第2の対話型要素（504）との前記対話の前記指示に基づいて前記第2の対話型要素（504）によって判断された機能をトリガするよう構成されるプロセッサとを備え、
　前記第1の対話型要素（502）は、前記第1の対話型要素（502）との第1の対話に応答し、前記第2の対話型要素（504）は、前記第1の対話と同時に行われる前記第2の対話型要素（504）との第2の対話に応答し、
　前記プロセッサは、前記第1の対話の中断に応答して、前記第2の対話型要素（504）によって判断された前記機能をトリガした後、前記ユーザインタフェース（500）の初期状態に復帰するようさらに構成され、
　前記プロセッサは、前記第1の対話型要素（502）との対話のさらなる指示に応答して前記復帰を中断するようさらに構成される、
　装置。
　　【請求項２】
　前記ユーザインタフェース（500）の前記フォアグラウンドは、前記ユーザインタフェース（500）のアクティブなコンテキストであり、前記ユーザインタフェース（500）の前記バックグラウンドは、前記ユーザインタフェース（500）のさらなるコンテキストを定義する、請求項1に記載の装置。
　　【請求項３】
　前記第1の対話型要素（502）は、少なくとも部分的に前記フォアグラウンドにとどまり、前記第2の対話型要素（504）は、前記ユーザと前記第2の対話型要素（504）との前記対話の間、少なくとも部分的にバックグラウンドにとどまる、請求項1または2に記載の装置。
　　【請求項４】
　前記フォアグラウンド内の前記第1の対話型要素（502）は、ハンドル（506）を含む、請求項1から3のいずれか一項に記載の装置。
　　【請求項５】
　前記プロセッサは、前記ユーザと前記ハンドル（506）との対話に応答して前記第1の対話型要素（502）を少なくとも部分的に前記フォアグラウンドから移動または回転させるように構成され、前記第2の対話型要素（504）が、少なくとも部分的に知覚可能となる、請求項4に記載の装置。
　　【請求項６】
　前記プロセッサは、前記ユーザと前記ハンドル（506）との対話に応答して、前記第2の対話型要素（504）を起動するよう構成される、請求項4または5に記載の装置。
　　【請求項７】
　前記第1の対話型要素（502）は、前記ユーザインタフェース（500）の前記フォアグラウンド内の幾何学的オブジェクトの第1の面上に配置され、前記第2の対話型要素（504）は、前記バックグラウンド内の前記幾何学的オブジェクトの第2の面上に配置される、請求項1から6のいずれか一項に記載の装置。
　　【請求項８】
　前記プロセッサは、ユーザと前記第1の面との対話に応答して前記幾何学的オブジェクトを回転させるようさらに構成され、前記第2の面が少なくとも部分的に知覚可能となる、請求項7に記載の装置。
　　【請求項９】
　前記第2の対話型要素（504）との前記対話を表すボイスコマンドを検出するよう構成される音響センサをさらに備える、請求項1から8のいずれか一項に記載の装置。
　　【請求項１０】
　前記第2の対話型要素（504）によって判断される前記機能は、前記第1の対話型要素（502）に関連する追加機能を定義する、請求項1から9のいずれか一項に記載の装置。
　　【請求項１１】
　請求項1から10のいずれか一項に記載の装置（102a、102b、102n）を備えるユーザ機器。
　　【請求項１２】
　ユーザインタフェースを操作する方法であって、
　少なくとも第1の対話型要素を前記ユーザインタフェースのフォアグラウンドに提供するステップ（704）と、
　少なくとも第2の対話型要素を提供するステップ（706）であって、前記第2の対話型要素が前記ユーザインタフェースのバックグラウンドに配置される、ステップ（706）と、
　前記フォアグラウンドにおける前記第1の対話型要素とユーザの第1の対話の指示と、前記バックグラウンドにおける前記第2の対話型要素と前記ユーザの第2との対話の指示を同時に受信するステップと、
　前記第1の対話の中断に応答して、前記第2の対話型要素との前記第2の対話の前記指示に基づいて前記第2の対話型要素によって判断された機能をトリガするステップ（714）と、
　前記機能をトリガした後、前記ユーザインタフェースを初期状態に復帰するステップと、
　前記第1の対話型要素との対話のさらなる指示に応答して前記復帰を中断するステップとを備える、
　方法。
　　【請求項１３】
　コンピュータプログラムであって、前記コンピュータプログラムがコンピュータで実行される場合、請求項12に記載の方法を実行するためのプログラムコードを有するコンピュータプログラム。」
第５　引用文献、引用発明等
１　引用文献１について
　原査定の拒絶の理由に引用された引用文献１には、図面とともに次の記載が記載されている。
「Exemplary Computing System for Implementing Current Embodiments 
[0027] With reference to  FIG. 3 , an exemplary system suitable for making use of embodiments of the current development is shown. It will be appreciated, however, that this development is not limited to being practiced on the system of  FIG. 3 , but instead, can be carried out in connection with other computing devices. 
The system of  FIG. 3 includes a general purpose computing device in the form of a conventional personal computer (PC) 320 , provided with a processing unit 321 , a system memory 322 , and a system bus 323
（現在の実施形態を実施するための例示多岐なコンピューティングシステム
［００２７］　図３を参照すると、現在の開発の実施の形態を利用するのに適した例示的なシステムが示されている。しかしながら、この開発は、図３のシステム上の実施に限定されないことが理解され、代わりに、他のコンピューティング装置に関連して実施することができる。
図３のシステムは、従来のパーソナルコンピュータ（ＰＣ）３２０の形態である、プロセッシングユニット３２１、システムメモリ３２２、及びシステムバス３２２を備えた、汎用コンピューティング装置を含む。
「Exemplary Application Employing One Embodiment 
[0049] FIG. 5  
shows a screen  500 a from an interactive display surface presenting a music player application
[0050] 
FIGS. 6A-6D  depict this exemplary embodiment in use
[0051] 
Having touched access portion  604 , FIG. 6B shows corner 600 of the screen and movement of the user's finger from first position  602 a, as shown in FIG. 6A , in the direction of arrow  610 , to a second position  602 b, causing the corner flap to be folded back further so that more of secondary interface area  606  is visible, and so part of an exit icon 612 is exposed. FIG. 6C shows corner 600 after the user's finger has continued moving inwardly of the displayed screen to a third position  602 c, making still more of secondary interface area  606  visible to fully display exit icon  612 , which had originally been hidden by the overlying display screen. Finally,  FIG. 6D  shows corner  600 , illustrating how, while maintaining third position  602 c to continue fully revealing the exit icon, the user engages now fully exposed exit icon  612  with another external physical object, such as a finger  614  on the user's other hand. The combined movements depicted in  FIGS. 6A-6D  enable user to first make the exit icon visible, and then select the exit icon to exit the application.
（一つの実施形態の例示的用途
［００４９］　図５は、図２Ａ−２Ｂに関連して説明したと同様の
音楽プレーヤアプリケーションを提示する対話式ディスプレイ画面のスクリーン５００ａ
［００５０］　
図６Ａ−６Ｄは、使用する際の例示的な実施形態を示す。
［００５１］　
アクセス部６０４に接触し、第６図Ｂに示すように、ユーザの指を、図６Ａに示す第１の位置６０２ａから、矢印６１０の方向に、第２の位置６０２ｂの位置まで移動すると、隅のフラップが折り返ることにより第２のインタフェース領域６０６が現れ、終了アイコン６１２の一部が露出される。図６Ｃは、ユーザの指が表示画面の内側の第３の位置６０２ｃに動いた後、その上に重なった表示画面によって隠された、第２のインタフェース領域６０６に終了アイコン６１２が完全に表示された状態の隅６００を示している。最後に、図６Ｄは、終了アイコンを完全に表示する第３の位置６０２ｃを維持しながら、例えば他方の手の指６１４のような、他の物理的オブジェクトを終了アイコン６１２にユーザが接触する隅６００を示している。図６Ａ−６Ｄに描かれた複合動作により、ユーザは最初に終了アイコンを表示してから、アプリケーションを終了するために、終了アイコンを選択する。
　したがって、上記引用文献１には次の発明（以下、「引用発明１」という。）が記載されていると認められる。
「プロセッシングユニット３２１を備えた、汎用コンピューティング装置であって、
　音楽プレーヤアプリケーションを提示する対話式ディスプレイ画面のスクリーン５００ａを備え、
　ユーザの指をアクセス部６０４に接触し、第１の位置６０２ａから、表紙画面の内側の第３の位置６０２ｃに動かし、第２のインタフェース領域６０６に終了アイコン６１２が完全に表示された状態とし、
　ユーザの指を終了アイコン６１２を完全に表示する第３の状態を維持しながら、他方の手の指６１４により、アプリケーションを終了するために終了アイコン６１２を選択する、
　汎用コンピューティング装置。」
２　引用文献２について
　原査定の拒絶の理由に引用された引用文献２には、図面とともに次の記載がされている。
「【発明の詳細な説明】
【技術分野】
【０００１】
　本開示は、情報処理装置、情報処理方法およびコンピュータプログラムに関し、より詳細には、表示部に表示された情報に関連する関連情報の呼び出し処理を行う情報処理装置、情報処理方法およびコンピュータプログラムに関する。」
「【００１５】
　＜１．第１の実施形態＞
　本開示の第１の実施形態に係る情報処理装置は、
スマートフォン等のモバイル端末やタブレット端末等のようにタッチパネルを用いて操作入力を行う端末の、機能呼び出し処理を行う装置
【００１６】
　［１−１．モバイル端末の機能構成］
　まず、図１を参照して、本開示の第１の実施形態に係る情報処理装置である情報処理部１２０の機能構成について説明する。なお、図１は、本実施形態に係る情報処理部１２０を備えるモバイル端末１００の機能構成を示す機能ブロック図である。なお、
本実施形態では、情報処理部１２０を備える端末としてスマートフォン等のモバイル端末１００を例に説明する
【００１７】
　
本実施形態に係るモバイル端末１００は、図１に示すように、操作入力検出部１１０と、情報処理部１２０と、表示部１３０とを備える。
【００１８】
　操作入力検出部１１０は、ユーザが情報を操作するための操作入力を行う入力装置の１つであり、指等の操作体の位置の接触を検出する。操作入力検出部１１０としては、例えば、静電気による電気信号を感知することにより操作体の接触を検知する静電式タッチパネルや、圧力の変化を感知して指の接触を検知する感圧式のタッチパネル等を用いることができる。操作入力検出部１１０は、情報を表示する表示部１３０と積層して設けられており、ユーザは表示部１３０の表示領域上で指等を動かすことで表示部１３０に表示されている情報を操作することができる。操作入力検出部１１０は、操作体の接触を検出すると、当該操作体の接触を特定するために付与された検出ＩＤ、位置情報、および接触時刻を検出信号として情報処理部１２０へ出力する。
【００１９】
　情報処理部１２０は、表示部に表示された情報に関連する関連情報の呼び出し処理を行う。情報処理部１２０は、図１に示すように、位置判定部１２２と、操作入力判定部１２４と、表示処理部１２６と、記憶部１２８とからなる。
【００２０】
　位置判定部１２２は、操作入力検出部１１０により検出された操作体の接触位置に基づいて操作対象を特定する。本実施形態に係る情報処理部１２０は、表示部１３０に表示された情報に関連する関連情報の呼び出し処理を行うものであり、このとき位置判定部１２２は関連情報の表示を行う表示オブジェクト（図３の符号２１４）が操作対象として選択されたか否かを判定する。位置判定部１２２の判定結果は、表示処理部１２６へ出力される。
【００２１】
　操作入力判定部１２４は、操作入力検出部１１０により検出された操作体の動きに基づいて、表示オブジェクトに対して所定の操作入力が行われたか否かを判定する。操作入力判定部１２４は、操作体が表示オブジェクトに接触したときに付与された検出ＩＤの検出信号を継続して監視することで操作入力の内容を判定する。関連情報の呼び出し処理を開始する所定の操作入力としては、例えば表示オブジェクトに対する長押し操作や短押し操作等とすることができる。操作入力判定部１２４の判定結果は、表示処理部１２６へ出力される。
【００２２】
　表示処理部１２６は、位置判定部１２２および操作入力判定部１２４の判定結果に基づいて、関連情報の呼び出し処理を開始するか否かを決定し、決定事項に応じて表示部１３０に表示されている表示情報を処理する。関連情報表示部１２６は、表示オブジェクトが操作対象として選択され、かつ当該表示オブジェクトに対して所定の操作入力が行われたと判定されたときに、関連情報の呼び出し処理を開始する。関連情報の呼び出し処理についての詳細は後述する。表示処理部１２６は、表示情報を変更する場合、表示情報の変更処理を行い、更新後の表示情報を表示部１３０へ出力する。
【００２３】
　記憶部１２８は、情報処理部１２０で行われる関連情報の呼び出し処理に用いられる各種情報を記憶する。記憶部１２８は、例えば関連情報の呼び出し処理を開始する所定の操作入力の内容や、判定に用いる閾値情報（例えば、後述する第１の判定時間や第２の判定時間、終了判定時間）等を記憶する。また、記憶部１２８には、関連情報の呼び出し処理を行うにあたり一時的に情報を記憶するメモリ（図示せず。）を設けてもよい。メモリには、例えば操作入力検出部１１０により検出された検出信号（検出ＩＤに対する接触時刻とそのときの位置情報）等が記憶される。
【００２４】
　
表示部１３０は、情報を表示する表示装置であって、例えば液晶ディスプレイや有機ＥＬディスプレイ等を用いることができる。表示部１３０には、表示処理部１２６の指示を受けて表示情報が表示される。
「【００２６】
　（１）音楽アプリケーションにおける関連情報呼び出し処理の概要
　
本実施形態では、モバイル端末１００における音楽アプリケーションの操作を例として説明する。図３左に示すように、モバイル端末１００の表示部１３０の表示領域２００には、音楽のプレイリストの一覧（プレイリスト一覧）２１０が表示されている。
【００２７】
　プレイリストの一覧２１０は、例えば水にぷかぷかと浮いているように表現させてもよく、このとき各プレイリスト２１２を表すオブジェクト２１２（２１２ａ〜２１２ｅ）を１枚の板に見立てる。水に浮く
複数のオブジェクト２１２からプレイリスト一覧２１０が構成され
【００２８】
　各プレイリストは、プレイリストを構成する楽曲からそれぞれ構成される。
各プレイリストのオブジェクト２１２には、例えばプレイリストの名称や、プレイリストを構成する楽曲数、プレイリストを表すアイコン等が表示されている。
【００２９】
　また、
本実施形態に係るプレイリストのオブジェクト２１２には、その一端（図３に示す例では右端）に当該プレイリストに関連する関連情報を表示させるための表示オブジェクト２１４が表示されている。
【００３０】
　
表示オブジェクト２１４に対して所定の操作入力があると、プレイリストのオブジェクト２１２が移動する。
【００３１】
　
プレイリストのオブジェクト２１２が移動されると、移動されたオブジェクト２１２が表示されていた位置に、当該プレイリストに関連する関連情報が表示される。本実施形態では、図３右に示すように、プレイリストに関連する機能メニュー２２２が表示される。
機能メニュー２２２が表示されている表示領域を関連情報表示領域２２０とする。
プレイリストのオブジェクト２１２を移動させて関連情報表示領域２２０を現せることで機能メニュー２２２が操作可能となるので、ユーザはプレイリストに関連する機能を簡単に実行させることができる。
【図３】
　したがって、上記引用文献２には次の発明（以下、「引用発明２」という。）が記載されていると認められる。
「タッチパネルを用いて操作入力を行う端末の、機能呼び出し処理を行う装置であって、
　操作入力検出部１１０と、情報処理部１２０と、表示部１３０とを備え、
　表示部１３０には、表示処理部１２６の指示を受けて表示情報が表示され、
　表示部１３０の表示領域２００には、複数のオブジェクト２１２から構成される、音楽のプレイリストの一覧（プレイリスト一覧）２１０が表示され、
　プレイリストのオブジェクト２１２には、その一端に当該プレイリストに関連する関連情報を表示させるための表示オブジェクト２１４が表示され、
　表示オブジェクト２１４に対して所定の操作入力があると、プレイリストのオブジェクト２１２が移動し、
　移動されたオブジェクト２１２が表示されていた位置に、当該プレイリストに関連する機能メニュー２２２が表示され、
　機能メニュー２２２が表示されている表示領域を関連情報表示領域２２０とし、
　機能メニュー２２２を操作することにより、ユーザはプレイリストに関連する機能を簡単に実行させることができる、
　装置。」
第６　対比・判断
１　本願発明１について
（１）本願発明１と引用発明１との対比・判断
　本願発明１と引用発明１とを対比すると、次のことがいえる。
ア　引用発明１の「対話式ディスプレイ画面のスクリーン５００ａ」は、本願発明１の「ユーザインタフェース（500）を提供するよう構成されるディスプレイ」に相当する。
イ　引用発明１の「アクセス部６０４」は、ユーザの指が接触し、ユーザの指を第１の位置６０２ａから第３の位置６０３ｃに動かすことにより、「第２のインタフェース領域６０６」に終了アイコン６１２を表示した状態とすることから、引用発明１の「アクセス部６０４」、「アクセス部６０４」が表示された領域、「第２のインタフェース領域６０６」、「終了アイコン６１２」は、それぞれ、本願発明１の「第1の対話型要素（502）」、「第1の対話型要素（502）」を提供する「前記ユーザインタフェース（500）のフォアグラウンド」、「前記ユーザインタフェース（500）のバックグラウンド」、「第2の対話型要素（504）」に相当する。
　そうすると、引用発明１は、本願発明１の「少なくとも第1の対話型要素（502）を前記ユーザインタフェース（500）のフォアグラウンドに提供し、前記ユーザインタフェース（500）のバックグラウンドに配置される少なくとも第2の対話型要素（504）を提供」することと同様の提供を行っていると認められる。
ウ　また、引用発明１は、アプリケーションを終了するために「終了アイコン６１２」を選択しているから、このことは、本願発明１の「前記バックグラウンドにおいて前記第2の対話型要素（504）とユーザとの対話の指示を受信し、前記第2の対話型要素（504）との前記対話の前記指示に基づいて前記第2の対話型要素（504）によって判断された機能をトリガする」ことに相当する。
エ　そして、引用発明１の「プロセッシングユニット３２１」は、本願発明１の「少なくとも第1の対話型要素（502）を前記ユーザインタフェース（500）のフォアグラウンドに提供し、前記ユーザインタフェース（500）のバックグラウンドに配置される少なくとも第2の対話型要素（504）を提供し、前記バックグラウンドにおいて前記第2の対話型要素（504）とユーザとの対話の指示を受信し、前記第2の対話型要素（504）との前記対話の前記指示に基づいて前記第2の対話型要素（504）によって判断された機能をトリガする」ことと同様の機能を提供していることは明らかであるから、引用発明１の「プロセッシングユニット３２１」は、本願発明１の「前記バックグラウンドにおいて前記第2の対話型要素（504）とユーザとの対話の指示を受信し、前記第2の対話型要素（504）との前記対話の前記指示に基づいて前記第2の対話型要素（504）によって判断された機能をトリガするよう構成されるプロセッサ」に相当する。
オ　加えて、引用発明１は、ユーザの指をアクセス部６０４に接触し、第１の位置６０２ａから、表紙画面の内側の第３の位置６０２ｃに動かし、第２のインタフェース領域６０６に終了アイコン６１２が完全に表示された状態としていることから、このことは、本願発明１の「前記第1の対話型要素（502）は、前記第1の対話型要素（502）との第1の対話に応答」することに相当する。
　さらに、引用発明１は、ユーザの指を終了アイコン６１２を完全に表示する第３の状態を維持しながら、他方の手の指６１４により、アプリケーションを終了するために終了アイコン６１２を選択しているから、このことは、本願発明１の「前記第2の対話型要素（504）は、前記第1の対話と同時に行われる前記第2の対話型要素（504）との第2の対話に応答」することに相当する。
　そうすると、引用発明１は、本願発明１の「前記第1の対話型要素（502）は、前記第1の対話型要素（502）との第1の対話に応答し、前記第2の対話型要素（504）は、前記第1の対話と同時に行われる前記第2の対話型要素（504）との第2の対話に応答」するのと同様の、対話要素を備えていると認められる。
カ　そうすると、本願発明１と引用発明１との間には、次の一致点、相違点があるといえる。
［一致点］
「ユーザインタフェース（500）を提供するよう構成されるディスプレイと、
　少なくとも第1の対話型要素（502）を前記ユーザインタフェース（500）のフォアグラウンドに提供し、前記ユーザインタフェース（500）のバックグラウンドに配置される少なくとも第2の対話型要素（504）を提供し、前記バックグラウンドにおいて前記第2の対話型要素（504）とユーザとの対話の指示を受信し、前記第2の対話型要素（504）との前記対話の前記指示に基づいて前記第2の対話型要素（504）によって判断された機能をトリガするよう構成されるプロセッサとを備え、
　前記第1の対話型要素（502）は、前記第1の対話型要素（502）との第1の対話に応答し、前記第2の対話型要素（504）は、前記第1の対話と同時に行われる前記第2の対話型要素（504）との第2の対話に応答する、
　装置。」
［相違点１］
　本願発明１は「前記プロセッサは、前記第1の対話の中断に応答して、前記第2の対話型要素（504）によって判断された前記機能をトリガした後、前記ユーザインタフェース（500）の初期状態に復帰するようさらに構成され、前記プロセッサは、前記第1の対話型要素（502）との対話のさらなる指示に応答して前記復帰を中断するようさらに構成され」ているのに対して、引用発明１は対応する構成を備えていない点。
キ　本願発明１と引用発明１の相違点についての判断
　上記相違点１について検討すると、相違点１に係る本願発明１の「前記プロセッサは、前記第1の対話の中断に応答して、前記第2の対話型要素（504）によって判断された前記機能をトリガした後、前記ユーザインタフェース（500）の初期状態に復帰するようさらに構成され、前記プロセッサは、前記第1の対話型要素（502）との対話のさらなる指示に応答して前記復帰を中断するようさらに構成される」という技術的事項は、引用文献２に記載されておらず、また本願の優先権主張日前において周知技術であったとはいえない。
　そうすると、本願発明１は、当業者であっても引用発明１及び引用文献２に記載された技術的事項に基づいて容易に発明できたものであるとはいえない。
（２）本願発明１と引用発明２との対比・判断
　本願発明１と引用発明２とを対比すると、次のことがいえる。
ア　引用発明２の「タッチパネルを用いて操作入力を行う端末」の「表示部１３０」は、本願発明１の「ユーザインタフェース（500）を提供するよう構成されるディスプレイ」に相当する。
イ　引用発明２の「表示オブジェクト２１４」は、当該プレイリストに関連する関連情報を表示させるためのものであり、表示オブジェクト２１４に対して所定の操作入力があると、プレイリストのオブジェクト２１２が移動するものであるから、本願発明１の「第1の対話型要素（502）」に相当する。
　また、引用発明２の「機能メニュー２２２」は、本願発明１の「第2の対話型要素（504）」に相当する。
　そして、引用発明２の「表示オブジェクト２１４」が表示される「オブジェクト２１２」は、移動することにより移動された「表示オブジェクト２１２」が表示されていた領域である「関連情報表示領域２２０」「機能メニュー２２２」が表示されていることから、「表示オブジェクト２１４」が表示される「オブジェクト２１２」と、「機能メニュー２２２」が表示される「関連情報表示領域２２０」とは、上下の関係を有しているといえる。そうすると、引用発明２の「オブジェクト２１２」と「関連情報表示領域２２０」は、本願発明１の「フォアグラウンド」と「バックグラウンド」の関係と同様の関係を有しているといえる。
　してみると、引用発明２の「表示オブジェクト２１４」と「機能メニュー２２２」は、本願発明１の「少なくとも第1の対話型要素（502）を前記ユーザインタフェース（500）のフォアグラウンドに提供し、前記ユーザインタフェース（500）のバックグラウンドに配置される少なくとも第2の対話型要素（504）を提供し」と同様の関係を有していると認められる。
ウ　引用発明２は、表示された「機能メニュー２２２」を操作することにより、ユーザはプレイリストに関連する機能を簡単に実行させることができるから、このことは、本願発明１の「「前記バックグラウンドにおいて前記第2の対話型要素（504）とユーザとの対話の指示を受信し、前記第2の対話型要素（504）との前記対話の前記指示に基づいて前記第2の対話型要素（504）によって判断された機能をトリガする」ことに相当する。
エ　そして、引用発明２の本願発明１の「少なくとも第1の対話型要素（502）を前記ユーザインタフェース（500）のフォアグラウンドに提供し、前記ユーザインタフェース（500）のバックグラウンドに配置される少なくとも第2の対話型要素（504）を提供し、前記バックグラウンドにおいて前記第2の対話型要素（504）とユーザとの対話の指示を受信し、前記第2の対話型要素（504）との前記対話の前記指示に基づいて前記第2の対話型要素（504）によって判断された機能をトリガする」ことに対応する機能が、引用発明２の「情報処理部１２０」により実行されることは明らかであるから、引用発明２の「情報処理部１２０」は、本願発明１の「少なくとも第1の対話型要素（502）を前記ユーザインタフェース（500）のフォアグラウンドに提供し、前記ユーザインタフェース（500）のバックグラウンドに配置される少なくとも第2の対話型要素（504）を提供し、前記バックグラウンドにおいて前記第2の対話型要素（504）とユーザとの対話の指示を受信し、前記第2の対話型要素（504）との前記対話の前記指示に基づいて前記第2の対話型要素（504）によって判断された機能をトリガするよう構成されるプロセッサ」に相当する。
オ　引用発明２は「表示オブジェクト２１４に対して所定の操作入力があると、プレイリストのオブジェクト２１２が移動」しているから、引用発明２の「表示オブジェクト２１４」は、本願発明１の「前記第1の対話型要素（502）は、前記第1の対話型要素（502）との第1の対話に応答」することと同様の動作を行っているといえ、また引用発明２は「表示オブジェクト２１４に対して所定の操作入力があると、プレイリストのオブジェクト２１２が移動し、移動されたオブジェクト２１２が表示されていた位置に、当該プレイリストに関連する機能メニュー２２２が表示され」ており、この表示された「機能メニュー２２２」を操作することにより、ユーザはプレイリストに関連する機能を簡単に実行させているから、このことは、本願発明１の「前記第2の対話型要素（504）は、前記第1の対話と同時に行われる前記第2の対話型要素（504）との第2の対話に応答」することと同様の動作を行っていると認められる。
カ　そうすると、本願発明１と引用発明２との間には、次の一致点、相違点があるといえる。
［一致点］
「ユーザインタフェース（500）を提供するよう構成されるディスプレイと、
　少なくとも第1の対話型要素（502）を前記ユーザインタフェース（500）のフォアグラウンドに提供し、前記ユーザインタフェース（500）のバックグラウンドに配置される少なくとも第2の対話型要素（504）を提供し、前記バックグラウンドにおいて前記第2の対話型要素（504）とユーザとの対話の指示を受信し、前記第2の対話型要素（504）との前記対話の前記指示に基づいて前記第2の対話型要素（504）によって判断された機能をトリガするよう構成されるプロセッサとを備え、
　前記第1の対話型要素（502）は、前記第1の対話型要素（502）との第1の対話に応答し、前記第2の対話型要素（504）は、前記第1の対話と同時に行われる前記第2の対話型要素（504）との第2の対話に応答する、
　装置。」
［相違点２］
　本願発明１は「前記プロセッサは、前記第1の対話の中断に応答して、前記第2の対話型要素（504）によって判断された前記機能をトリガした後、前記ユーザインタフェース（500）の初期状態に復帰するようさらに構成され、前記プロセッサは、前記第1の対話型要素（502）との対話のさらなる指示に応答して前記復帰を中断するようさらに構成され」ているのに対して、引用発明２は対応する構成を備えていない点。
キ　本願発明１と引用発明２の相違点についての判断
　上記相違点２について検討すると、相違点２に係る本願発明１の「前記プロセッサは、前記第1の対話の中断に応答して、前記第2の対話型要素（504）によって判断された前記機能をトリガした後、前記ユーザインタフェース（500）の初期状態に復帰するようさらに構成され、前記プロセッサは、前記第1の対話型要素（502）との対話のさらなる指示に応答して前記復帰を中断するようさらに構成される」という技術的事項は、引用文献１に記載されておらず、また本願の優先権主張日前において周知技術であったとはいえない。
　そうすると、本願発明１は、当業者であっても引用発明２及び引用文献１に記載された技術的事項に基づいて容易に発明できたものであるとはいえない。
（３）本願発明１についてのまとめ
　以上のとおりであるから、本願発明１は、当業者であっても、引用文献１及び２に記載された事項に基づいて、当業者が容易に発明できたものとはいえない。
２　本願発明２ないし１１について
　本願発明２ないし１１も、本願発明１の「前記プロセッサは、前記第1の対話の中断に応答して、前記第2の対話型要素（504）によって判断された前記機能をトリガした後、前記ユーザインタフェース（500）の初期状態に復帰するようさらに構成され、前記プロセッサは、前記第1の対話型要素（502）との対話のさらなる指示に応答して前記復帰を中断するようさらに構成される」という技術的事項と同一の技術的事項を備えるものであるから、本願発明１と同様の理由により、当業者であっても、引用文献１及び２に記載された事項に基づいて、当業者が容易に発明できたものとはいえない。
３　本願発明１２及び１３について
　本願発明１２は、本願発明１に対応する方法の発明であり、また、本願発明１３は、本願発明１２の方法を実行するためのプログラムコードを有するコンピュータプログラムの発明であり、本願発明１の「前記プロセッサは、前記第1の対話の中断に応答して、前記第2の対話型要素（504）によって判断された前記機能をトリガした後、前記ユーザインタフェース（500）の初期状態に復帰するようさらに構成され、前記プロセッサは、前記第1の対話型要素（502）との対話のさらなる指示に応答して前記復帰を中断するようさらに構成される」という技術的事項に対応する、「前記第1の対話の中断に応答して、前記第2の対話型要素との前記第2の対話の前記指示に基づいて前記第2の対話型要素によって判断された機能をトリガするステップ（714）と、前記機能をトリガした後、前記ユーザインタフェースを初期状態に復帰するステップと、前記第1の対話型要素との対話のさらなる指示に応答して前記復帰を中断するステップ」を備えるものである。
　そうすると、本願発明１２及び１３は、本願発明１と同様の理由により、当業者であっても、引用文献１及び２に記載された事項に基づいて、当業者が容易に発明できたものとはいえない。
第７　原査定についての判断
　令和２年８月２６日にされた補正によって、本願発明１ないし１１は「前記プロセッサは、前記第1の対話の中断に応答して、前記第2の対話型要素（504）によって判断された前記機能をトリガした後、前記ユーザインタフェース（500）の初期状態に復帰するようさらに構成され、前記プロセッサは、前記第1の対話型要素（502）との対話のさらなる指示に応答して前記復帰を中断するようさらに構成される」という技術的事項を有するものとなり、加えて本願発明１２及び１３は「前記第1の対話の中断に応答して、前記第2の対話型要素との前記第2の対話の前記指示に基づいて前記第2の対話型要素によって判断された機能をトリガするステップ（714）と、前記機能をトリガした後、前記ユーザインタフェースを初期状態に復帰するステップと、前記第1の対話型要素との対話のさらなる指示に応答して前記復帰を中断するステップ」を備えるものとなっており、当業者であっても、拒絶査定において引用された引用文献１及び２に基づいて、容易に発明できたものとはいえない。
　したがって、原査定の理由を維持することはできない。
第８　当審拒絶理由について
１　請求項２ないし１２について
　当審では、請求項２に記載された「トリガ」について、請求項１に記載された「トリガ」と矛盾するから不明確であるとし、請求項２の記載を引用する請求項３ないし１２についても同様の理由で不明確であるとの拒絶の理由を通知しているが、令和２年８月２６日にされた補正により請求項２が削除された結果、この拒絶の理由は解消した。
２　請求項１３及び１４について
　当審では、請求項１３に記載された２つの「トリガ」が、同じ機能をトリガするものであり、動作が矛盾するから不明確であるとし、請求項１３の記載を引用する請求項１４についても同様の理由で不明確であるとの拒絶の理由を通知しているが、令和２年８月２６日にされた補正により、補正前の請求項１３の「前記第2の対話型要素との前記第2の対話の前記指示に基づいて前記第2の対話型要素によって判断された機能をトリガするステップ（714）」が、「前記第1の対話の中断に応答して、前記第2の対話型要素との前記第2の対話の前記指示に基づいて前記第2の対話型要素によって判断された機能をトリガするステップ（714）」と補正された結果、この拒絶の理由は解消した。
第９　むすび
　以上のとおり、原査定の理由によっては、本願を拒絶することはできない。
　また、他に本願を拒絶するべき理由を発見しない。
　よって、結論のとおり審決する